(57)【要約】      （修正有）【課題】格子状に組み合わせた棒材等からなる支持部材を使用することで、角あるいは筒状のボックスを簡易に組み合わせて製作できる組立棚を提供する。【解決手段】正面視略正方形の四角い開口１ｃを複数有する２つの支持部材１ａと、その２つの支持部材１ａを前後方向に間隔を離して対向配置させてなる棚支持主体１と、四角筒状の胴部２ａを有し、その胴部２ａの両端寄り位置に支持部材１ａの開口１ｃの内周縁を銜え得る嵌合口部２ｂを開設してなる棚部材２とを備え、２つの支持部材１ａの同位置にある夫々の開口１ｃに棚部材２の胴部２ａを挿通し、その胴部２ａの嵌合口部２ｂに開口１ｃの上下内周縁を銜えさせることにより、支持部材１ａの開口１ｃ内に棚部材２を貫通状態にして固定するようにした組立棚を提供する。  【選択図】図１
0003157315.tif 000002
【実用新案登録請求の範囲】
【請求項１】
正面視略正方形又は正面視略長方形の四角い開口を複数有する２つの支持部材と、
その２つの支持部材を前後方向に間隔を離して対向配置させてなる棚支持主体と、
略四角筒状の胴部を有し、その胴部の両端寄り位置に前記支持部材の前記開口の内周縁を銜え得る嵌合口部を開設してなる棚部材と、を備え、
前記２つの支持部材の同位置にある夫々の前記開口に前記棚部材の胴部を挿通し、その胴部の前記嵌合口部に前記開口の少なくとも上下内周縁を銜えさせることにより、前記支持部材の開口内に棚部材を貫通状態にして固定するようにしたことを特徴とする組立棚。
【請求項２】
前記支持部材は、格子状に組み合わせた縦横の棒材か又は格子状に形成した板材で形成されていることを特徴とする請求項１記載の組立棚。
【請求項３】
前記支持部材の前記開口を正面視略正方形に形成し、
前記棚部材をその端面形状の一辺が前記開口の一辺より小さく且つ端面形状の対角線が前記開口の一辺より大きい略正方形の四角筒状に形成すると共に前記嵌合口部を前記胴部の角部に形成し、
前記棚部材の向きを前記支持部材の前記開口の向きに合わせた状態で抜き差し自在とし、一方、前記棚部材を前記支持部材の前記開口内で差込み時の状態から略１／４回転させた向きにして前記嵌合口部で開口の内周縁を銜えさせ、そうして前記支持部材の開口内に棚部材が貫通状態で固定されるものであることを特徴とする請求項１又は２記載の組立棚。
【請求項４】
金属製の棒材を格子状に組み合わせて正面視略正方形の四角い開口を複数形成してなる２つの支持部材と、
その２つの支持部材を前後方向に間隔を離して対向配置させてなる棚支持主体と、
端面形状の一辺が前記開口の一辺より小さく且つ端面形状の対角線が前記開口の一辺より大きい略正方形である四角筒状の胴部を有し、その胴部の両端寄り位置の角部に前記支持部材の前記開口の内周縁を銜え得る嵌合口部を開設してなる紙又は合成樹脂製の棚部材と、を備え、
前記棚部材の向きを前記支持部材の前記開口の向きに合わせた状態で抜き差し自在とし、一方、前記棚部材を前記支持部材の前記開口内で差込み時の状態から略１／４回転させた向きにして前記嵌合口部で開口の内周縁を銜えさせ、そうして前記支持部材の開口内に棚部材が貫通状態で固定されるものであることを特徴とする組立棚。
【考案の詳細な説明】
【技術分野】
【０００１】
本考案は、商品を陳列したり、或は個人が物品を収納するために使用する棚に関し、特に分解・組立が可能な組立棚に関する。
【背景技術】
【０００２】
従来、複数個の角筒状ボックスを積み木式に並べて連結し、そうして所望の大きさ形状の棚に仕上げる組立棚がある（特許文献１）。
【先行技術文献】
【特許文献】
【０００３】
【特許文献１】実用新案登録第３０６６８６４号公報
【考案の概要】
【考案が解決しようとする課題】
【０００４】
上記従来の組立棚は、ボックスの上にボックスを積み木式に積み上げる構成であるため、最も下段のボックスに加わる荷重を基準にして強度設計する必要がある。従って、ボックスの材質が木材や金属など高強度のものに限定される。また、ボックスの上にボックスを数段積み上げて所望の高さにする構造であるため、例えば室内空間の低所と高所に商品を陳列するような場合には中間のボックスが無駄になり、しかも使わない中間のボックスがディスプレイ上却って邪魔になる事態も生じ得る。
【課題を解決するための手段】
【０００５】
本発明は上記に鑑みなされたもので、正面視略正方形又は正面視略長方形の四角い開口を複数有する２つの支持部材と、
その２つの支持部材を前後方向に間隔を離して対向配置させてなる棚支持主体と、
略四角筒状の胴部を有し、その胴部の両端寄り位置に前記支持部材の前記開口の内周縁を銜え得る嵌合口部を開設してなる棚部材と、を備え、
前記２つの支持部材の同位置にある夫々の前記開口に前記棚部材の胴部を挿通し、その胴部の前記嵌合口部に前記開口の少なくとも上下内周縁を銜えさせることにより、前記支持部材の開口内に棚部材を貫通状態にして固定するようにした組立棚を提供する。
【０００６】
また、請求項２に記載したように前記支持部材は、格子状に組み合わせた縦横の棒材か又は格子状に形成した板材で形成されている請求項１記載の組立棚を提供する。
【０００７】
また、請求項３に記載したように、前記支持部材の前記開口を正面視略正方形に形成し、
前記棚部材をその端面形状の一辺が前記開口の一辺より小さく且つ端面形状の対角線が前記開口の一辺より大きい略正方形の四角筒状に形成すると共に前記嵌合口部を前記胴部の角部に形成し、
前記棚部材の向きを前記支持部材の前記開口の向きに合わせた状態で抜き差し自在とし、一方、前記棚部材を前記支持部材の前記開口内で差込み時の状態から略１／４回転させた向きにして前記嵌合口部で開口の内周縁を銜えさせ、そうして前記支持部材の開口内に棚部材が貫通状態で固定されるものである請求項１又は２記載の組立棚を提供する。
【０００８】
また、請求項４に記載したように、金属製の棒材を格子状に組み合わせて正面視略正方形の四角い開口を複数形成してなる２つの支持部材と、
その２つの支持部材を前後方向に間隔を離して対向配置させてなる棚支持主体と、
端面形状の一辺が前記開口の一辺より小さく且つ端面形状の対角線が前記開口の一辺より大きい略正方形である四角筒状の胴部を有し、その胴部の両端寄り位置の角部に前記支持部材の前記開口の内周縁を銜え得る嵌合口部を開設してなる紙又は合成樹脂製の棚部材と、を備え、
前記棚部材の向きを前記支持部材の前記開口の向きに合わせた状態で抜き差し自在とし、一方、前記棚部材を前記支持部材の前記開口内で差込み時の状態から略１／４回転させた向きにして前記嵌合口部で開口の内周縁を銜えさせ、そうして前記支持部材の開口内に棚部材が貫通状態で固定されるものである組立棚を提供する。
【考案の効果】
【０００９】
本考案の組立棚は、前後に配置した２つの棚支持主体で全体の荷重を支え、各棚部材には商品等の荷重しか加わらないため、棚部材を構成する素材として、例えば紙や合成樹脂など比較的低強度のものでも幅広く採用することができる。また、棚支持主体の任意の開口に対して棚部材の着脱が自由に行えるため、全ての開口に棚部材を配置したり、或は適当な間隔を開けてまばらに配置するなど、状況に応じた陳列が自由に行え、或は棚部材の配置を替えることにより室内の模様替えが簡単に行える、などの効果がある。
【００１０】
また、請求項３，４に記載した組立棚は、棚部材を支持部材の開口内で略１／４回転させるだけで着脱できるため、棚部材の取り付け・取外しの作業が簡単・迅速に行える効果がある。
【図面の簡単な説明】
【００１１】
【図１】組立棚の斜視図である。
【図２】組立棚の一部を拡大して示す側面図である。
【図３】一部拡大図を含む図２のＸ−Ｘ線断面図である。
【図４】（ａ）は棚支持主体の開口に棚部材を通した直後の状態を示す要部拡大断面図、（ｂ）は棚部材を棚支持主体の開口内で１／４回転させた状態を示す要部拡大断面図である。
【図５】棚部材の斜視図である。
【図６】組み立て途中の状態を示す棚部材の斜視図である。
【図７】棚部材の展開図である。
【図８】第２形態の棚部材の固定前の形態を示す斜視図である。
【図９】第２形態の棚部材の固定時の形態を示す斜視図である。
【図１０】第２形態の棚部材の固定時の形態を底面側から見上げて示す斜視図である。
【図１１】組み立て途中の第２形態の棚部材を底面側から見上げて示す斜視図である。
【図１２】第２形態の棚部材の展開図である。
【図１３】第３形態の棚部材の固定状態と取り付け途中の状態を示す組立棚の要部正面図である。
【図１４】第３形態の棚部材の斜視図である。
【図１５】第３形態の棚部材の分解斜視図である。
【図１６】第３形態の棚部材の展開図である。
【図１７】平板形態の棚受け部材の斜視図である。
【図１８】平板形態の棚受け部材の展開図である。
【図１９】傾斜底を有する棚受け部材の斜視図である。
【図２０】傾斜底を有する棚受け部材を底面側から見上げて示す斜視図である。
【図２１】傾斜底を有する棚受け部材の展開図である。
【図２２】他の形態の棚支持主体を示す斜視図である。
【考案を実施するための形態】
【００１２】
［実施形態１］
以下に本考案の組立棚の実施形態１を図１〜図７を参照しつつ説明する。
本考案の組立棚は、図１に示したように格子状の２つの支持部材１ａ，１ａを前後方向に間隔を離して対向配置させてなる棚支持主体１と、その棚支持主体１の２つの支持部材１ａ，１ａの間に掛け渡した状態で取り付けられる多数の棚部材２，２…と、により構成される。
【００１３】
［支持部材］
前記支持部材１ａ，１ａは、金属製の棒材１ｂ，１ｂ…を格子状に組み合わせることにより、正面視略正方形の四角い開口１ｃ，１ｃ…を碁盤の目のように形成したものである。前記棒材１ｂは、所定の強度を満たせば中実であっても中空であってもよく、また、断面形状も四角、五角、六角等の多角形や円形であってもよい。
なお、実施形態の棒材１ｂは、鉄製の中実丸棒に塗料を塗って仕上げたものである。そして、横の棒材１ｂを外側に、縦の棒材１ｂを内側に配置すると共に交差部を溶接して格子状の支持部材１ａとしてある。
【００１４】
［棚部材］
前記棚部材２は、図５に示したように、四角筒状の胴部２ａを有し、その胴部２ａの両端寄り位置の角部に前記支持部材１ａ，１ａの開口１ｃの内周縁（棒材１ｂ）を銜え得る（棒材１ｂに嵌合し得る）嵌合口部２ｂ，２ｂ…を設けてなる。この棚部材２の胴部２ａの端面形状は、一辺が前記開口１ｃの一辺より小さく且つ対角線が前記開口１ｃの一辺より大きい略正方形である。
【００１５】
この棚部材２の構成を図７の展開図によりさらに詳しく説明する。棚部材２は、波形の中芯の表裏両面にライナーを貼着した周知の紙製段ボールであって、表面が着色された（或は印刷が施された）いわゆる美粧段ボールで形成される。図７の展開図は、その美粧段ボールの裏側を示したものであり、破線が谷折り線を示し、一点鎖線が山折り線を示し、フリーハンド状の破断線Ｐで囲われた内側が段ボールの中芯の向きを示している。
【００１６】
棚部材２の組み立ては、図７の展開状態から、同図において左右両側に位置する内面板２ｃ，２ｃを中央の外面板２ｄ側に折り重ねると共に図７の斜線部Ｈ１−Ｈ１同士と斜線部Ｈ２−Ｈ２同士を接着して２枚重ねにし、そうして図６のように角筒状に折り曲げて端に飛び出た差込み片２ｅ，２ｅを内面板２ｃと外面板２ｄの間に差し込んで固着する。
【００１７】
実施形態１の棚部材２は以上のように構成されているため、美粧段ボールのきれいな表面で全体が包まれ、しかも胴部２ａの内部が内面板２ｃで覆われているため、外面板２ｄに開設した嵌合口部２ｂが胴部２ａの内部に露出しない。したがって、棚部材２は、見栄えがよいばかりでなく、内面板２ｃと外面板２ｄの２重構造であることより必要な強度と適度なクッション性を兼ね備えている。
【００１８】
［組み立て・分解方法］
実施形態１の組立棚の組み立て方法について図４（ａ），（ｂ）により説明する。
まず、２つの支持部材１ａ，１ａを棚部材２の両端寄りにある嵌合口部２ｂの間隔相当分だけ間隔を離して対向配置させる。
次に、図４（ａ）のように棚部材２の向きを支持部材１ａ，１ａの開口１ｃの向きに合わせて真っ直ぐ差込み、嵌合口部２ｂの位置を支持部材１ａ，１ａの棒材１ｂの位置に合わせる。
そして、その状態から図４（ｂ）のように棚部材２を略１／４回転させると、棚部材２の対角線が開口１ｃの一辺より大きいため、全ての嵌合口部２ｂが開口１ｃの内周縁である棒材１ｂに嵌って銜えた格好になる。実施形態１では、棚部材２の内面板２ｃで構成される正方形の対角線が開口１ｃの一辺より僅かに大きい程度に設定されており、その内面板２ｃの角部が支持部材１ａの棒材１ｂに擦れて程よい抵抗が生ずるようになっている。
なお、支持部材１ａ，１ａの棒材１ｂ，１ｂ…の位置は、縦と横で前後（内外）にずれが生ずるため（図２参照）、棚部材２の嵌合口部２ｂの位置も同一対角線上にあるもの同士をペアにして、縦の棒材１ｂに対応するペアと横の棒材１ｂに対応するペアがほぼ棒材１ｂの直径分ずらしてある。
【００１９】
以上の要領で、複数の棚部材２，２…を２つの支持部材１ａ，１ａの任意の開口１ｃに差し込んで固定すれば、棚部材２，２…を介して２つの支持部材１ａ，１ａが連結され、全体としてしっかりとした組立棚が完成する。
また、上記と逆の操作をすれば棚部材２を開口１ｃから簡単に外すことが可能であり、したがって、棚部材２を違う場所の開口１ｃに付け替えたり、或は全ての棚部材２，２…を外して完全に分解することができる。
【００２０】
なお、実施形態１の組立棚は、棚部材２の底部がＶ字形態で丸い物を安定的に保持できる点と段ボールのクッション性により、ボトルに入ったもの（例えばアルコール飲料）の陳列・保管に好適である。
【００２１】
［実施形態２］
図８〜図１２は実施形態２を示したものである。実施形態２の棚部材２は、支持部材１ａの開口１ｃとほぼ同じ正方形の端面形状を有する角筒状にしたものであり、胴部２ａの天部２ｆの中央にヒンジ部２ｇを設けて図８実線のようにその天部２ｆが若干山形に浮き上がるようになっている。この棚部材２を図９のようにヒンジ部２ｇを押し下げて胴部２ａの天部２ｆをほぼ平らな状態にした上で支持部材１ａの開口１ｃに差し込む。そうすると、天部２ｆのヒンジ部上に設けた嵌合口部２ｂが横の棒材１ｂに至ったとき、天部２ｆが山形に戻ろうとする弾力で嵌合口部２ｂが横の棒材１ｂを銜える。一方、胴部２ａの底部２ｈには図１０，図１１のように横の棒材１ｂに嵌まり得る溝状の嵌合口部２ｂが設けられているから、天部２ｆの嵌合口部２ｂが上の棒材１ｂを銜えたのと同時に底部２ｈの嵌合口部２ｂが下の棒材１ｂを銜えて固定される。
【００２２】
この実施形態２の棚部材２の具体的な構成を図１２の展開図により説明する。この棚部材２は、実施形態１と同じ美粧段ボールで形成される。図１２の展開図は、その美粧段ボールの裏側を示したものであり、細かい破線が谷折り線を示し、一点鎖線が山折り線を示し、フリーハンド状の破断線Ｐで囲われた内側が段ボールの中芯の向きを示している。
【００２３】
この実施形態２の棚部材２は、前記内面板２ｃをさらに２つ折りする構成になっており、図１２において外に位置する第１内面板２ｃ−１を中に位置する第２内面板２ｃ−２に折り重ねると共に２重になった内面板２ｃをさらに外面板２ｄに折り重ね、さらに内面板２ｃの接着部Ｈ３，Ｈ４を外面板２ｄの斜線部Ｈ３，Ｈ４に接着して３枚重ねにし、そうして図１１のように角筒状に折り曲げて端に飛び出た差込み片２ｅ，２ｅを内面板２ｃと外面板２ｄの間に差し込んで固着する。
【００２４】
天部２ｆに設けた前記ヒンジ部２ｇは、図１２において外面板２ｄと第１内面板２ｃ−１に折れ線として形成されており、第１内面板２ｃ−１と第２内面板２ｃ−２には前記ヒンジ部２ｇと同一直線上にスリット２ｉが形成されている。このスリット２ｉとヒンジ部２ｇと、外面板２ｄと内面板２ｃの３重構造とが相俟って、実施形態２の胴部２ａの天部２ｆに前記した山形に浮き上がる弾性が付与される。
【００２５】
［実施形態３］
図１３〜図１６は実施形態３を示したものである。実施形態３の棚部材２は、図１３において右側に示したように支持部材１ａの縦長長方形の開口１ｃに若干傾けた状態に固定されるものであり、図１３において左側に示したように２つの半部材２ｘ，２ｙに分割して夫々を折り畳みつつ開口１ｃに差込み、その開口１ｃ内で組み立てて固定するものである。
【００２６】
この実施形態３の棚部材２は、図１５に示したように、一方の半部材２ｘが、天部２ｆと側部２ｊを屈曲自在に連接し、天部２ｆの先端に屈曲自在に折込片２ｋを連設すると共に側部２ｊの下端に屈曲自在に挟み片２ｌを連設したものであり、もう一方の半部材２ｙはこれを逆さにしてさらに向きを変えたものである。したがって半部材２ｙの前記半部材２ｘの天部２ｆに相当する部位が底部２ｍになる。
そして、この２つの半部材２ｘ，２ｙの互いの折込片２ｋ，２ｋを他方の挟み片２ｌ，２ｌで挟んで例えば公知のホック部材６（図１３参照）で固着すれば、図１４に示したような角筒状に形成することができる。
【００２７】
この実施形態３の棚部材２の具体的な構成を図１６の展開図により説明する。この棚部材２は、実施形態１，２と同じ美粧段ボールで形成される。図１６の展開図は、その美粧段ボールの裏側を示したものであり、破線が谷折り線を示し、一点鎖線が山折り線を示し、フリーハンド状の破断線Ｐで囲われた内側が段ボールの中芯の向きを示している。
【００２８】
実施形態３の棚部材２の組み立ては、図１６の展開状態から、同図において左右両側に位置する内面板２ｃ，２ｃを中央の外面板２ｄ側に折り重ねて全面を接着し、そうして図１５のように各部を折り曲げて前記のように２つの半部材２ｘ，２ｙを支持部材１ａの開口１ｃ内で連結する。
【００２９】
［その他］
図１７，図１８と図１９〜図２１は、本考案の組立棚の機能を多様化させる上で有用な棚受け部材３を例示するものである。
まず、図１７，図１８は単純な平板形態の棚受け部材３であり、図１８に示した展開図の状態から組み立てて必要な強度を得る。
また、図１９〜図２１は、傾斜底３ａを設けて例えばケースに入ったＣＤやＭＤなどのディスクを傾斜の低い側に寄せて収納する場合に有利な棚受け部材３であり、図２１に示した展開図によりトレー状に組み立て得る。
なお、ここで例示した棚受け部材３，３は、本考案の直接的な要旨ではないため詳細な説明を省略するが、図１８，図２１の展開図中、破線、一点鎖線、破断線Ｐ、斜線部Ｈ５−Ｈ５、Ｈ６−Ｈ６、Ｈ７−Ｈ７、Ｈ８−Ｈ８、Ｈ９−Ｈ９等の意味は、上記実施形態と同じである。
【００３０】
以上本考案を実施形態１〜３について説明したが、もちろん本考案は上記実施形態に限定されるものではない。例えば、実施形態１〜３では、２つの支持部材１ａ，１ａが棚部材２を介して連結されるように構成したが、図２２に示したように２つの支持部材１ａ，１ａを把手部材４や脚部材５で連結するようにしてもよい。なお、この場合、把手部材４と脚部材５を棒材１ｂの端部に対して回動自在にしておけば、把手部材４と脚部材５をリンクにして支持部材１ａ，１ａ同士を重ね合わせることができるから、コンパクトに折り畳んだ状態で運搬することができる。
また、支持部材１ａ，１ａは、複数種類の開口１ｃを適宜織り交ぜるようにしてもよい。また、一つの棚支持主体１に複数種類の棚部材２を適宜織り交ぜて取り付けるようにしてもよい。
また、実施形態１〜３では棒材１ｂにより格子状の支持部材１ａを形成したが、金属の板材を格子状に打ち抜いたり、或は短冊状の板材を溶接して格子状の支持部材１ａを形成してもよい。
また、棚部材２は両端面が開放している必要はなく、後面側に固定的な蓋を設けたり、或は前面側に着脱自在な蓋を設けるようにしてもよい。
また、棚部材２は紙製段ボール以外に、プラスチック段ボールや合成樹脂板などでもよい。
【符号の説明】
【００３１】
１…棚支持主体
１ａ，１ａ…支持部材
１ｂ…棒材
１ｃ…開口
２…棚部材
２ａ…胴部
２ｂ…嵌合口部
【図１】
0003157315.tif 000003
【図２】
0003157315.tif 000004
【図３】
0003157315.tif 000005
【図４】
0003157315.tif 000006
【図５】
0003157315.tif 000007
【図６】
0003157315.tif 000008
【図７】
0003157315.tif 000009
【図８】
0003157315.tif 000010
【図９】
0003157315.tif 000011
【図１０】
0003157315.tif 000012
【図１１】
0003157315.tif 000013
【図１２】
0003157315.tif 000014
【図１３】
0003157315.tif 000015
【図１４】
0003157315.tif 000016
【図１５】
0003157315.tif 000017
【図１６】
0003157315.tif 000018
【図１７】
0003157315.tif 000019
【図１８】
0003157315.tif 000020
【図１９】
0003157315.tif 000021
【図２０】
0003157315.tif 000022
【図２１】
0003157315.tif 000023
【図２２】
0003157315.tif 000024